(57)【要約】【課題】簡単な操作で箸置きに変形させることができ、搬送時に嵩張ることなく搬送効率に優れるとともに取り扱いやすい箸袋を提供する。【解決手段】箸１を収納する箸袋本体１２と、箸袋本体１２の表面１２ａに設けられ箸袋本体１２から離隔するように折り曲げ可能に設けられた起立片１４と、を備える。搬送時などでは起立片１４を箸袋本体１２に沿わせ略偏平形状とし、箸袋１０を箸置きとして使用する時には起立片１４を箸袋本体１２から離隔するように折り曲げ箸袋本体１２に対して立設する。【選択図】    図３
0003149351.tif 000002
【実用新案登録請求の範囲】
【請求項１】
箸を収納する箸袋本体と、前記箸袋本体の表面に設けられ前記箸袋本体から離隔するように折り曲げ可能に設けられた起立片と、を備えることを特徴とする箸袋。
【請求項２】
前記起立片が前記箸袋本体に連続して一体に設けられていることを特徴とする請求項１に記載の箸袋。
【請求項３】
前記起立片は、先端側の幅方向中央部に付け根に向けて窪む凹部を備えることを特徴とする請求項１又は２に記載の箸袋。
【請求項４】
前記起立片の表面及び裏面の少なくとも一方が表示面をなしていることを特徴とする請求項１〜３のいずれか１項に記載の箸袋。
【考案の詳細な説明】
【技術分野】
【０００１】
本考案は、箸を収納する箸袋に関し、特に、箸置きとしての機能を備えた箸袋に関する。
【背景技術】
【０００２】
従来、飲食店などでは、洗浄の手間を省きつつ衛生を維持するため、割り箸などの使い捨て箸が用いられる場合がある。このような使い捨て箸は、通常、紙製の使い捨て袋に収容されており、食事をする際には袋より取り出されて使用される。
【０００３】
一方、食事中に一時的に箸を使用しない時に、テーブルに箸を直接置くと衛生上好ましくないため、箸を椀や皿の上に置くことが考えられるが、食事のマナーとして好ましくないことである。そこで、陶器製などの専用の箸置きを用いることも考えられるが、使用するたびことに箸置きを洗う必要があり手間がかかる問題がある。
【０００４】
そこで、例えば、下記特許文献１には、使い捨ての箸袋を使用者が加工して箸置きにできるように構成した箸袋が開示されいる。
【０００５】
また、下記特許文献２には、箸を収納する偏平袋状の収納部の外縁部を箸の収納方向に沿って折り曲げてなる箸袋が開示されている。
【０００６】
しかしながら、下記特許文献１では、加工の工程が煩雑であり両手を使って加工しなければならず、加工中は箸を別の場所に置いておかなければならないという問題がある。
【０００７】
また、下記特許文献２では、使用者が箸置きに加工する必要がないため上記のような問題はないが、収納部の外縁部を折り曲げた箸袋自体に厚みがある立体的な形状をなしており嵩張るため搬送効率が悪いとともに、立体的な形状が壊れやすく取り扱いが煩わしいという問題がある。
【特許文献１】特開２００５−１０４５２９号公報
【特許文献２】特開２００５−２８９３９４号公報
【考案の開示】
【考案が解決しようとする課題】
【０００８】
本考案は、上記の問題に鑑みてなされたものであり、簡単な操作で箸置きに変形させることができ、搬送時に嵩張ることなく搬送効率に優れるとともに取り扱いやすい箸袋を提供することを目的とする。
【課題を解決するための手段】
【０００９】
本考案の箸袋は、箸を収納する箸袋本体と、前記箸袋本体の表面に設けられ前記箸袋本体から離隔するように折り曲げ可能に設けられた起立片と、を備えることを特徴とする。
【００１０】
本考案の箸袋では、使用者が起立片を箸袋本体から離隔するように折り曲げるといった簡単な操作によって起立片を箸袋本体に対して立ち上げることができ、その起立片に箸の先端部を置くことで箸置きとして利用することができる。しかも、起立片を箸袋本体の表面に沿わせて箸袋を略偏平形状の状態で搬送することができるため、搬送効率に優れるとともに取り扱いやすい。
【００１１】
上記した本考案において前記起立片が前記箸袋本体に連続して一体に設けられてもよく、これにより、箸袋本体の形成と同時に起立片を設けることができ、製造工数を削減し製造コストを抑えることができる。
【００１２】
また上記した本考案において前記起立片は、先端側の幅方向中央部に付け根に向けて窪む凹部を備えてもよく、これにより、該凹部に箸の先端を置くことにより安定して箸を保持することができる。
【００１３】
また、上記した本考案において前記起立片の表面及び裏面の少なくとも一方が表示面をなしてもよい。これにより、箸袋をテーブルなどに置いて箸置きとして利用する時に、起立片を構成する表示面がテーブル面に対して立設されることとなり、箸を使用する者やその周りの者に表示面に表された表示内容を効果的に伝達することができる。
【考案の効果】
【００１４】
本考案の箸袋であると、簡単な操作で箸置きに変形させることができ、搬送時に嵩張ることなく搬送効率に優れるとともに取り扱いやすい。
【考案を実施するための最良の形態】
【００１５】
以下、本考案の一実施形態を、図面に示す実施例に基づいて説明する。
【００１６】
図１，２は本考案の一実施形態に係る箸袋１０を示す斜視図、図３は箸袋１０を箸置きとして使用中の状態を示す斜視図、図４は箸袋１０の展開図である。
【００１７】
本実施形態の箸袋１０は、図１，２に示すように、箸１の少なくとも一部をその長手方向に沿って収納する箸袋本体１２と、箸袋本体１２の表面に配設された起立片１４と、を備える。
【００１８】
箸袋本体１２は、紙などのシート状部材を偏平な細長筒状に折り曲げられて形成され、表面側に相当する一方面１２ａに設けられた貼り合わせ部１１において、糊付けなどにより貼り合わせられ固定されている。箸袋本体１２の一端部は糊付けなどにより貼り合わせられ閉塞されており、他端部には内部と連通する開口部１３が形成されており、この開口部１３から方向Ａに沿って箸１が箸袋本体１２内に挿入されるようになっている。
【００１９】
起立片１４は、貼り合わせ部１１の端部より箸袋本体１２の一方面１２ａに沿って延設されている。この起立片１４は、箸袋本体１２の一方面１２ａと貼り合わせられておらず、貼り合わせ部１１との境界線１５を付け根として折り曲げ可能に設けられている。
【００２０】
起立片１４の先端部、すなわち、境界線１５と対向する端部には、箸１の挿入方向Ａに相当する幅方向の中央部に境界線１５に向けて窪む凹部１６が形成されている。また、起立片１４の表面１４ａは、文字やイラストや写真などが表示された表示面をなしている。
【００２１】
このような箸袋１０では、起立片１４と貼り合わせ部１１との境界線１５を折り目に谷折り状に起立片１４を折り曲げることで、図２に示すように、境界線１５を付け根として、起立片１４を箸袋本体１２の一方面１２ａから離隔するように折り曲げ、箸袋本体１２の一方面１２ａに対して立設する。
【００２２】
そして、起立片１４が箸袋本体１２に対して立設した状態で、図３に示すように、起立片１４の先端部に形成された凹部１６に箸１の先端部を置くことで、箸袋１０を箸置きとして利用することができる。
【００２３】
上記のような箸袋１０は、図４に示すように、箸袋本体１２と、この箸袋本体１２の一方側と一体に連なった起立片１４と、からなる１枚の型紙から形成される。
【００２４】
箸袋本体１２には、箸１の挿入方向Ａに沿った両側端部に一対の貼り合わせ部１１，１１が設けられ、貼り合わせ部１１，１１の間において挿入方向Ａに沿う一対の折り返し線１７，１７が設けられている。一方の貼り合わせ部１１の側端からは起立片１４が挿入方向Ａと垂直をなす外方へ延設している。
【００２５】
箸袋本体１２は、一対の折り返し線１７，１７で折り返され、起立片１４が一体に延設された一方の貼り合わせ部１１を外側に配置し、他方の貼り合わせ部１１を内側に配置して一対の貼り合わせ部１１，１１を重ね合わせて糊付けなどにより貼り合わせることで、貼り合わせ部１１と折り返し線１７に挟まれた領域を箸袋本体１２の表面に相当する一方面１２ａとし、一対の折り返し線１７，１７に挟まれた領域を一方面１２ａと対向する他方面１２ｂとする偏平な細長筒状に形成される。なお、起立片１４は、箸袋本体１２に貼り付けられておらず、貼り合わせ部１１との境界線１５を付け根として折り曲げ可能となっている。
【００２６】
そして、偏平な細長筒状に形成された箸袋本体１２の一方端部が糊付けなどにより貼り合わせられて閉塞され、他方端部に箸１を挿入するための開口部１３が形成されることで、図１に示すような、箸袋１０が形成される。
【００２７】
以上のように、本実施形態の箸袋１０では、使用者が起立片１４を箸袋本体１２の一方面１２ａから離隔するように折り曲げるといった簡単な操作によって起立片１４を箸袋本体１２に対して立設することができ、その起立片１４に箸１の先端部を置くことで箸置きとして利用することができる。
【００２８】
しかも、箸置きとして利用する前の箸袋１０では、起立片１４を箸袋本体１２に沿わせておくことができるため、箸袋１０を偏平形状の状態で搬送することができ、搬送効率に優れるとともに取り扱いやすい。
【００２９】
また、起立片１４は先端側の幅方向中央部に境界線１５に向けて窪む凹部１６が設けられているため、凹部１６に箸１の先端部を置くことにより箸１を起立片１４上に安定して保持することができる。
【００３０】
さらに、起立片１４の表面１４ａには、文字やイラストや写真などが表示されており、箸袋１０をテーブルなどに置いて箸置きとして利用する時に、起立片１４がテーブル面に対して立設されることとなるため、箸１を使用する者やその周りの者に起立片１４に表された表示内容を効果的に伝達することができる。
【００３１】
なお、本実施形態では、箸袋本体１２と起立片１４とを一体に設けたが、本考案はこれに限定されず、箸袋本体１２の一方面１２ａに別部材からなる起立片１４を貼り付け固定してもよい。
【００３２】
また、本実施形態では、起立片１４の表面１４ａを文字やイラストや写真などが表示された表示面としたが、例えば、起立片１４の裏面、あるいは表面及び裏面の両面を表示面としてもよい。
【図面の簡単な説明】
【００３３】
【図１】本考案の一実施形態に係る箸袋の斜視図である。
【図２】本考案の一実施形態に係る箸袋の斜視図である。
【図３】本考案の一実施形態に係る箸袋を箸置きとして使用中の状態を示す斜視図である。
【図４】本考案の一実施形態に係る箸袋の展開図である。
【符号の説明】
【００３４】
１…箸
１０…箸袋
１１…貼り合わせ部
１２…箸袋本体
１３…開口部
１４…起立片
１５…境界線
１６…凹部
１７…折り返し線
Ａ…挿入方向
【図１】
0003149351.tif 000003
【図２】
0003149351.tif 000004
【図３】
0003149351.tif 000005
【図４】
0003149351.tif 000006